(57)【特許請求の範囲】
【請求項１】
放送信号を介して送信される放送番組の映像データ、及び記憶部に蓄積された画像データを表示可能な表示装置であって、
前記放送番組を視聴するためのチャンネルを選択する操作、及び前記記憶部に蓄積された画像データを表示するための操作を行う操作手段と、
前記放送信号を介して送信される放送番組の放送時間に関する情報、及び現在時刻情報を取得する取得手段と、
前記取得手段で取得した前記放送時間に関する情報及び前記現在時刻情報に基づいて、前記蓄積された画像データの表示状態を決定する決定手段と、
前記放送信号を介して送信される放送番組の映像データを表示する制御、及び前記記憶部に蓄積された画像データを前記決定手段により決定された表示状態で表示する制御を行う制御手段と、を有し、
前記操作手段により前記蓄積された画像データを表示するための操作が行われた場合に、前記決定手段は、前記記憶部に蓄積された画像データの表示状態を、現在時刻から当該現在時刻以降に放送される放送番組の放送開始時刻までの時間に応じて決定することを特徴とする表示装置。
【請求項２】
前記決定手段は、現在時刻から当該現在時刻以降に放送される放送番組の放送開始時刻までの時間に応じて、前記記憶部に蓄積された画像データを一画面上に表示する数を決定することを特徴とする請求項１に記載の表示装置。
【請求項３】
前記決定手段は、現在時刻から当該現在時刻以降に放送される放送番組の放送開始時刻までの時間に応じて、前記記憶部に蓄積された画像データを表示する画面の切り替え時間を決定することを特徴とする請求項１または２に記載の表示装置。
【請求項４】
前記決定手段は、前記記憶部に蓄積された画像データの表示状態を、前記記憶部に蓄積された画像データを表示する操作が行われる以前に選択されていたチャンネルにおいて、前記現在時刻以降に放送される放送番組の放送開始時刻までの時間に応じて決定することを特徴とする請求項１ないし３のいずれか１項に記載の表示装置。
【請求項５】
前記決定手段は、前記記憶部に蓄積された画像データの表示状態を、前記現在時刻以降に放送される視聴予約が行われている放送番組の放送開始時刻までの時間に応じて決定することを特徴とする請求項１ないし３のいずれか１項に記載の表示装置。
【請求項６】
前記記憶部に蓄積された画像データを表示した履歴情報を記憶する履歴情報記憶手段を更に備え、
前記決定手段は、前記記憶部に蓄積された画像データが複数ある場合、前記履歴情報を用いて、前記複数の画像データの表示順序を決定することを特徴とする請求項１ないし５のいずれか１項に記載の表示装置。
【請求項７】
放送信号を介して送信される放送番組の映像データ、及び記憶部に蓄積された画像データを表示可能な表示装置の制御方法であって、
ユーザによる前記放送番組を視聴するためのチャンネルを選択する操作、及び前記蓄積された画像データを表示するための操作を受け付ける操作工程と、
前記放送信号を介して送信される放送番組の放送時間に関する情報、及び現在時刻情報を取得する取得工程と、
前記取得工程で取得した前記放送時間に関する情報及び前記現在時刻情報に基づいて、前記記憶部に蓄積された画像データの表示状態を決定する決定工程と、
前記放送信号を介して送信される放送番組の映像データを表示する制御、及び前記蓄積された画像データを前記決定工程により決定された表示状態で表示する制御を行う制御工程と、を有し、
前記操作工程により前記記憶部に蓄積された画像データを表示するための操作が行われた場合に、前記決定工程では、前記蓄積された画像データの表示状態を、現在時刻から当該現在時刻以降に放送される放送番組の放送開始時刻までの時間に応じて決定することを特徴とする方法。
【請求項８】
請求項７に記載の表示装置の制御方法をコンピュータに実行させるためのプログラム。
【請求項９】
請求項８に記載のプログラムが格納されたコンピュータ可読記憶媒体。
【発明の詳細な説明】
【技術分野】
【０００１】
本発明は、デジタルスチルカメラやデジタルビデオカメラ等によって撮影された画像をデジタルテレビ等で表示する表示制御技術に関する。
【背景技術】
【０００２】
デジタルスチルカメラ（以下、ＤＳＣ）やデジタルビデオカメラ（以下、ＤＶＣ）の普及並びにテレビ技術のデジタル化を背景としたデジタルテレビ放送の普及により、ＤＳＣやＤＶＣで撮影した画像をデジタルテレビで視聴するユーザが増えている。
【０００３】
また、ＤＳＣやＤＶＣに使用される蓄積メディア、特にはメモリカードの大容量化を背景に、１枚のメモリカードにより撮影可能な画像の枚数が増加している。
【０００４】
従って、テレビ番組の選局と同様の操作で、多数の画像を効率的に視聴したいというニーズも高まっている。
【特許文献１】特開２０００−３４１６１４公報
【特許文献２】特開２０００−３５４２２７公報
【発明の開示】
【発明が解決しようとする課題】
【０００５】
本発明は、上述した背景に鑑みてなされ、テレビ放送番組の空き時間、例えば次の番組が開始されるまでの時間、視聴予約した番組が開始されるまでの時間、ＣＭ放送時間等を利用して、ユーザが画像を簡単かつ効率的に視聴可能にすることを目的としている。
【課題を解決するための手段】
【０００６】
上記課題を解決し、目的を達成するために、本発明の表示装置は、放送信号を介して送信される放送番組の映像データ、及び記憶部に蓄積された画像データを表示可能な表示装置であって、前記放送番組を視聴するためのチャンネルを選択する操作、及び前記記憶部に蓄積された画像データを表示するための操作を行う操作手段と、前記放送信号を介して送信される放送番組の放送時間に関する情報、及び現在時刻情報を取得する取得手段と、前記取得手段で取得した前記放送時間に関する情報及び前記現在時刻情報に基づいて、前記蓄積された画像データの表示状態を決定する決定手段と、前記放送信号を介して送信される放送番組の映像データを表示する制御、及び前記記憶部に蓄積された画像データを前記決定手段により決定された表示状態で表示する制御を行う制御手段と、を有し、前記操作手段により前記蓄積された画像データを表示するための操作が行われた場合に、前記決定手段は、前記記憶部に蓄積された画像データの表示状態を、現在時刻から当該現在時刻以降に放送される放送番組の放送開始時刻までの時間に応じて決定する。
【０００７】
また、本発明の表示装置の制御方法は、放送信号を介して送信される放送番組の映像データ、及び記憶部に蓄積された画像データを表示可能な表示装置の制御方法であって、ユーザによる前記放送番組を視聴するためのチャンネルを選択する操作、及び前記蓄積された画像データを表示するための操作を受け付ける操作工程と、前記放送信号を介して送信される放送番組の放送時間に関する情報、及び現在時刻情報を取得する取得工程と、前記取得工程で取得した前記放送時間に関する情報及び前記現在時刻情報に基づいて、前記記憶部に蓄積された画像データの表示状態を決定する決定工程と、前記放送信号を介して送信される放送番組の映像データを表示する制御、及び前記蓄積された画像データを前記決定工程により決定された表示状態で表示する制御を行う制御工程と、を有し、前記操作工程により前記記憶部に蓄積された画像データを表示するための操作が行われた場合に、前記決定工程では、前記蓄積された画像データの表示状態を、現在時刻から当該現在時刻以降に放送される放送番組の放送開始時刻までの時間に応じて決定する。
【０００８】
より具体的には、選局されたチャンネルで放送される番組の放送時間の空き時間、例えば次の番組が開始されるまでの時間、視聴予約した番組が開始されるまでの時間、コマーシャル（以下、ＣＭとする）放送時間等の情報に基づき、ユーザへの画像表示タイミング（表示開始、表示終了）を決定することを特徴としている。また、上記画像の表示中に、番組の放送時間の空き時間が終了後、テレビ放送番組の表示に移行することを特徴としている。
【発明の効果】
【０００９】
本発明によれば、画像の視聴操作が簡単になり、画像の視聴効率が向上する。
【発明を実施するための最良の形態】
【００１０】
以下に、添付図面を参照して本発明を実施するための最良の形態について詳細に説明する。
【００１１】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
［第１の実施形態］
以下、本発明に係る第１の実施形態について説明する。
【００１３】
（デジタルテレビの構成）
図１は、本発明に係る第１の実施形態の情報表示装置の構成を示すブロック図である。
【００１４】
図１において、情報表示装置１００は、アンテナ１０１を介して伝送されたデジタル放送信号を受信する放送受信機能を有するデジタルテレビである。情報表示装置１００は、この放送受信機能によって、ユーザがリモコン１２３により選択したチャンネルに関わる映像や番組情報を画像表示部１０８に表示し、音声を音声出力部１０６に出力する。
【００１５】
また、情報表示装置１００は、外部から接続されたＤＳＣ、ＤＶＣ、メモリカード等の画像入力機器１２４から画像を取得する機能、取得した画像をリモコン１２３による操作指示により画像表示部１０８に表示する機能を有する。
【００１６】
図２は、本実施形態の情報表示装置１００を操作するためのリモコン１２３を例示する外観図である。
【００１７】
但し、図２は、本発明に係る実施形態に必要な機能を実現するための操作を行うキーのみを示すものであり、実際の情報表示装置に必要なキーはこの限りではない。
【００１８】
図２において、２０１はリモコン１２３と図１の受信部１２２との間で赤外線通信を行うための送信部である。２０２は情報表示装置１００の電源をオン／オフするための「電源」キーである。２０３は上下左右ボタンの真中に決定キーを配した「カーソル＆決定」キーである。２０４は１〜１２までの数字がマトリクス上に並んだ「数字」キーである。２０５は後述の電子番組ガイド（ＥＰＧ）画面を表示、消去するための「ＥＰＧ」キーである。２０６は後述の視聴画像リスト画面を表示、消去するための「ビューワ」キーである。２０７は画面表示状態を直前の状態に戻す場合に用いる「戻る」キーである。
【００１９】
ユーザは、これらの各種キーを用いて情報表示装置１００を操作することができる。
【００２０】
図３は、情報表示装置１００がリモコン１２３による操作、及び画像入力機器１２４からの画像取得開始に応じて取りうる放送番組や画像の視聴状態を示す図である。
【００２１】
情報表示装置１００は、「視聴オフ」状態、「放送視聴」状態、「画像基本視聴」状態、「放送−画像連携視聴」状態の４つの状態をとる。図３は、例えば「視聴オフ」状態にて、リモコン１２３の「電源」キー２０２を押すことで「放送視聴」状態に遷移し、「放送視聴」状態において、「電源」キー２０２を押すことで「視聴オフ」状態に遷移することを表わしている。その他の状態の遷移については後述する。
【００２２】
＜放送受信機能＞
先ず、図３の「放送視聴」状態において実行可能な放送受信機能について説明する。
【００２３】
図１において、チューナー部１０２は、アンテナ１０１を介して伝送されたデジタル放送信号からリモコン１２３により選択されたチャンネルに従う周波数の電波を選択受信する。その後、復調、Ａ／Ｄ変換、エラー訂正等の処理を行い、ＭＰＥＧ２にて規定されたトランスポートストリーム（以下、ＴＳ）というデータ列を生成する。
【００２４】
デマルチプレクサ１０３は、チューナー部１０２から出力されるＴＳを選局処理部１１０からの指示に基づき、映像データ、音声データ、及び番組関連情報や現在時刻情報を含むＳＩデータとに分離する。映像データ及び音声データは映像・音声デコーダ１０４に出力され、ＳＩデータはＳＩ情報処理部１０９に出力する。
【００２５】
ＳＩ情報処理部１０９では、主にＴＯＴ(Time-Offset-Table)として送られる現在時刻情報、ＥＩＴ(Event-Information-Table)として送られる番組情報を抽出、処理する。
【００２６】
現在時刻情報はカレンダー時計部１１１に出力し、現在の時刻情報を設定する。
【００２７】
番組情報は番組情報記憶部１１２に出力し、記憶する。この番組情報は、例えば、番組のタイトル、放送日、放送時間（開始時間、放送継続時間）や、番組内容の紹介情報など、放送局が独自に提供する情報を含んでいる。
【００２８】
映像・音声デコーダ１０４はデマルチプレクサ１０３からの映像データ及び音声データをデコードした後、映像データは表示制御部１０７に出力し、画像表示部１０８の画面上に表示する。
【００２９】
音声データは、音声制御部１０５に出力し、音声出力部１０６から出力する。
【００３０】
以下、リモコン１２３によるチャンネル選局操作について説明する。
【００３１】
ユーザは図２の「数字」キー２０４のいずれかを押した場合に所望の放送チャンネルを選局することができる。
【００３２】
本実施形態では、「数字」キー２０４のうち［１］〜［９］が押された場合には、放送チャンネルの選局動作を行い、その操作指示は、受信部１２２、制御部１１６を介して選局処理部１１０に送られる。選局処理部１１０は、指示されたチャンネル番号に従い、前述の放送受信機能の説明で述べたようにチューナー部１０２、デマルチプレクサ１０３を制御し、選局処理を行う。
【００３３】
その他［１０］〜［１２］が押された場合、情報表示装置１００の視聴状態は、図３に示すように「放送視聴」状態から「放送−画像連携視聴」状態に遷移する。その操作指示は［１０］〜［１２］が押される前に選局していたチャンネル番号情報（［１］〜［９］のうちいずれか）と共に選局処理部１１０から画像表示タイミング決定部１１４に送られる。
【００３４】
画像表示タイミング決定部１１４における動作については後述する。
【００３５】
以下、リモコン１２３による電子番組ガイド（ＥＰＧ）画面表示と視聴番組予約操作について説明する。
【００３６】
ユーザは図２の「ＥＰＧ」キー２０５を押した場合に電子番組ガイド（ＥＰＧ）画面を表示することができる。その操作指示は、受信部１２２、制御部１１６を介し、ＥＰＧ生成部１１３に送る。
【００３７】
ＥＰＧ生成部１１３は、番組情報記憶部１１２に記憶された番組情報を取得し、現在放送している番組や近い将来に放送される予定の番組の放送時間や番組情報を提供する電子番組ガイド（ＥＰＧ）画面を生成する。生成した画面のデータは表示制御部１０７に出力する。
【００３８】
ユーザはＥＰＧ画面表示を見ながら、リモコン１２３により番組を選択することにより、チャンネル選局を行ったり、近い将来に放送される予定の番組の視聴予約を行うことができる。
【００３９】
視聴予約された番組の情報は、番組情報記憶部１１２に送り、記憶する。
【００４０】
＜画像取得機能＞
次に、図３の「放送視聴」、「画像基本視聴」、「放送−画像連携視聴」状態において実行可能な画像取得機能について説明する。
【００４１】
外部Ｉ／Ｆ１１７は、画像を画像入力機器１２４から、情報表示装置１００に取り込むためのインタフェースであり、接続する画像入力機器１２４により様々な形態をとり得る。
【００４２】
例えば、画像入力機器１２４がＤＳＣの場合はＵＳＢや無線ＬＡＮである。また、画像入力機器１２４がＤＶＣの場合は、ＵＳＢやＩＥＥＥ１３９４、無線ＬＡＮである。また、画像入力機器１２４が、メモリカードの場合は、ＰＣＭＣＩＡインタフェースやメモリカード固有のインタフェースとなる。
【００４３】
外部Ｉ／Ｆ１１７は、画像入力機器１２４が接続されたことを検知すると、接続検知イベントを画像蓄積処理部１１８に出力する。
【００４４】
画像蓄積処理部１１８は、接続検知イベントに基づき、外部Ｉ／Ｆ１１７を介して、画像入力機器１２４から複数の画像を１枚ずつ読み込む。
【００４５】
画像蓄積処理部１１８は、各画像に含まれるＥｘｉｆ情報から画像撮影日時情報を取り出し、各画像に情報表示装置１００において唯一識別可能な識別子、例えば画像ファイル名称を決定し、画像蓄積部１１９に出力し、蓄積する。
【００４６】
また、画像蓄積部１１９への蓄積完了後、カレンダー時計部１１１から現在時刻情報を取得する。この現在時刻情報は、画像の蓄積日時情報として、画像の識別子情報、撮影日時情報と共に履歴記憶部１２０に出力する。
【００４７】
履歴記憶部１２０は、受け取った識別子情報、撮影日時情報、蓄積日時情報を履歴管理リストに登録する。
【００４８】
この履歴管理リストは、画像蓄積処理部１１８から受け取った画像の識別子情報、撮影日時情報、蓄積日時情報、及び情報表示装置１００において視聴された回数情報を記録する。
【００４９】
＜画像表示機能＞
次に、図３の「画像基本視聴」状態において実行可能な画像表示基本機能について説明する。
【００５０】
ユーザは「ビューワ」キー２０６を押した場合に、図４に例示するような情報表示装置１００に蓄積された画像の一覧を表示する視聴画像リスト画面を表示することができる。その操作指示は、受信部１２２、制御部１１６を介し、画像処理部１１５に送る。
【００５１】
画像処理部１１５は、コマンド指示に従い、画像蓄積処理部１１８を介して、画像蓄積部１１９に蓄積された画像の総数、及び各画像の識別子を読み込み、記憶する。その後、識別子に基づき、蓄積された画像を取得し、図４の視聴画像リスト画面を生成する。
【００５２】
生成した画面表示データは表示制御部１０７に出力し、画像表示部１０８に表示する。
【００５３】
図４の４０１ａ〜４０１ｌは画像蓄積部１１９から読み出した複数画像のうちの１２枚を示している。４０２で示すものは、図２に示す「カーソル＆決定」キー２０３の操作によって、画像表示部１０８の画面全体に表示できる画像の候補を示すフォーカス表示である。このフォーカス表示４０２を４０１ｉ〜４０１ｌのいずれかの位置から更に下に移動させることで視聴画像リスト画面の表示は更新され、画像蓄積部１１９に蓄積された他の画像のリストを表示することが可能である。
【００５４】
視聴画像視聴リストを表示中に、「カーソル＆決定」２０３の操作によってフォーカスを移動、決定することで、画像表示部１０８の画面全体に１枚の画像を表示するシングル表示を実行することができる。
【００５５】
画像処理部１１５はシングル表示となった場合に、図１のタイマ部１２１を用いて、シングル表示の継続時間のカウントを行う。
【００５６】
本実施形態においては、３秒以上シングル表示が継続された画像は、視聴済み画像として扱い、視聴済みイベントを画像の識別子と共に履歴記憶部１２０に出力する。
【００５７】
履歴記憶部１２０では、履歴管理リスト中の視聴回数情報を１だけ増加させる。
【００５８】
また、「画像基本視聴」状態において、「ビューワ」キー２０６を押した場合に画像の視聴表示を終了し、「放送視聴」状態に戻る。その操作指示は、受信部１２２、制御部１１６を介し、画像処理部１１５に送られ、表示制御部１０７に対する表示終了処理を行う。その後、制御部１１６に対し、画像の視聴表示終了イベントを出力する。
【００５９】
制御部１１６では画像の視聴表示終了イベントに応じ、選局処理部１１０に対し、選局開始イベントを出力し、選局処理部１１０において、直前に選局していたチャンネルの選局動作を実行する。
【００６０】
以下、本発明の特徴をよく表す画像表示タイミング決定部１１４の機能について説明する。
【００６１】
画像表示タイミング決定部１１４は、図３の「放送−画像連携視聴」状態において、画像表示部１０８に対し、連続して複数の画像を切り替えて表示する画像と表示タイミングを、下記の情報に基づき決定する機能を有する。
・選局処理部１１０からの選局指示情報。
・履歴記憶部１２０から取得する履歴管理リスト中の撮影日時情報、蓄積時刻情報、視聴回数情報。
・番組情報記憶部１１２において保持する次番組開始時刻情報や視聴予約番組開始時刻情報。
【００６２】
図５は、画像表示タイミング決定部１１４の動作を示すフローチャートである。
【００６３】
（Ｓ５０１：動作開始）
画像表示タイミング決定部１１４は、選局処理部１１０からの指示に応じ、動作を開始し、画像表示部１０８に対し、連続して複数の画像を表示する「放送−画像連携視聴」状態に移行する。
【００６４】
この際、選局処理部１１０からの指示には、直前に選局していたチャンネル番号情報と、ユーザにより新たに選択されたチャンネル番号情報が含まれる。
【００６５】
本実施形態では、直前にチャンネル番号情報［１］が選局されており、新たに放送チャンネルが割り当てられていない［１０］〜［１２］のいずれかが選局されたとして説明を行う。
【００６６】
（Ｓ５０２：チャンネル番号の判別）
画像表示タイミング決定部１１４は、新たに選局されたチャンネル番号の判別を行う。
【００６７】
チャンネル番号が［１０］であった場合には、Ｓ５０３へ移行する。
【００６８】
チャンネル番号が［１１］であった場合には、Ｓ５０４へ移行する。
【００６９】
チャンネル番号が［１２］であった場合には、Ｓ５０５へ移行する。
【００７０】
（Ｓ５０３：撮影日時順リスト生成）
履歴記憶部１２０から履歴管理リストを取得し、同リスト中に記録された各画像の撮影日時情報を用いて、画像の識別子情報を撮影した時刻の古い順に並べた撮影日時順リストを生成する。
【００７１】
（Ｓ５０４：蓄積日時順リスト生成）
履歴記憶部１２０から履歴管理リストを取得し、同リスト中に記録された各画像の蓄積日時情報を用いて、画像の識別子情報を蓄積した時刻の古い順に並べた蓄積日時順リストを生成する。
【００７２】
（Ｓ５０５：視聴回数順リスト生成）
履歴記憶部１２０から履歴管理リストを取得し、同リスト中に記録された各画像の蓄積日時情報を用いて、蓄積した時刻の古い順に並べた蓄積日時順リストを生成する。
【００７３】
更に履歴管理リストに記録された各画像の視聴回数情報と蓄積日時順リストを用いて、画像の識別子情報を視聴回数の少ない順に並べた視聴回数順リストを生成する。
【００７４】
（Ｓ５０６：視聴予約番組開始情報を取得）
番組情報記憶部１１２から、ユーザにより視聴予約が実行された番組の開始時刻情報を取得する。
【００７５】
なお、本実施形態では、視聴予約番組開始時刻情報が２つ取得される。１つは「2005年4月20日21時00分00秒」から開始される番組Ａ、もう１つは「2005年4月21日20時00分00秒」から開始される番組Ｂであり、各時刻情報が取得されたものとして以下に説明を行う。
【００７６】
（Ｓ５０７：次番組開始時刻情報を取得）
番組情報記憶部１１２から、チャンネル番号情報［１］で現在放送中の番組の次に開始される番組の開始時刻情報を取得する。
【００７７】
以下、本実施形態では、「2005年4月20日19時00分00秒」から開始される番組Ｃの時刻情報が取得されたものとして、説明を行う。
【００７８】
（Ｓ５０８：「放送−画像連携視聴」状態終了時刻を決定）
まず、Ｓ５０６、Ｓ５０７において取得した複数の番組開始時刻情報を比較、現在から最も近々に放送される予定の番組を選択して、「放送−画像連携視聴」状態を終了する時刻を決定する。
【００７９】
本実施形態では、Ｓ５０７にて取得したチャンネル番号情報［１］で次に放送予定の番組Ｃが選択され、「放送−画像連携視聴」状態を終了する時刻は、「2005年4月20日19時00分00秒」となる。
【００８０】
（Ｓ５０９：表示画像識別子を決定）
Ｓ５０３、Ｓ５０４、Ｓ５０５のいずれかにおいて生成されたリストに記述された識別子の順番に基づき、画像表示部１０８に表示する画像の識別子を選択する。
【００８１】
（Ｓ５１０：画像表示開始イベントの送信）
画像処理部１１５に対し、Ｓ５０９で選択した画像の識別子情報と共に、画像の表示開始イベントを送信する。
【００８２】
画像処理部１１５は、本イベントを受け取った後、画像の識別子情報に基づき、画像蓄積処理部１１８を介し、画像蓄積部１１９から画像データを取得し、表示制御部１０７を介し、画像表示部１０８に画像を表示する。
【００８３】
（Ｓ５１１：現在時刻情報を取得）
カレンダー時計部１１１から現在時刻情報を取得する。
【００８４】
（Ｓ５１２：「放送−画像連携視聴」状態終了時刻到来の判別）
Ｓ５１１で取得した現在時刻情報に基づき、Ｓ５０８で決定した画像視聴モード終了時刻が到来したかの判別を行う。
【００８５】
到来していなければＳ５１３に移行する。
【００８６】
到来していれば、Ｓ５１４に移行する。
【００８７】
本実施形態では、例えば現在時刻情報が「2005年4月20日18時59分32秒」であればＳ５１３へ、「2005年4月20日19時00分00秒」であればＳ５１４へ移行することになる。
【００８８】
（Ｓ５１３：表示完了イベント受信有無の判別）
Ｓ５１０で送信した表示開始イベントによる表示が、画像処理部１１５において完了したことを伝えるイベントを受信したかどうかを判別する。
【００８９】
画像処理部１１５では、３秒以上シングル表示状態が継続された後、本イベントを画像表示タイミング決定部１１４に送信する。
【００９０】
本イベント受信していなければ、Ｓ５１１に再度移行する。
【００９１】
受信していればＳ５０９に再度以降する。
【００９２】
（Ｓ５１４：「放送−画像連携視聴」状態終了イベントの送信）
Ｓ５１２において、「放送−画像連携視聴」状態終了時刻が到来したと判別した後、選局処理部１１０に対し、選局すべきチャンネル番号情報と共に、画像視聴モードが終了したことを伝えるイベントを送信する。
【００９３】
選局処理部１１０では、本イベントを受信後、受け取ったチャンネル番号情報に基づく選局動作を実行する。
【００９４】
本実施形態では、次に放送予定の番組Ｃが放送されるチャンネル番号情報［１］が選局されることになる。
【００９５】
（Ｓ５１５：動作終了）
図５に示す動作を終了する。
【００９６】
以上述べた通り、Ｓ５０３、Ｓ５０４、Ｓ５０５のいずれかにおいて生成されたリストの順番に基づき、画像表示部１０８に表示する画像の識別子を選択しながら、「放送−画像連携視聴」状態終了時刻が到来するまで、Ｓ５０９からＳ５１３の動作を繰り返す。その結果、ユーザに対してテレビ放送番組の空き時間である、次の番組が開始されるまでの時間、画像の表示を行う。
【００９７】
これにより、ユーザはテレビ放送番組の空き時間中、リモコンの選局動作同様の手順で簡単に画像を視聴することができ、更にテレビ放送番組の空き時間が終了すれば、視聴していたテレビ放送番組の視聴に自動的に戻ることができる。
【００９８】
本実施形態では、チャンネル番号［１］において次の番組が開始されるまでの時間に画像の視聴を行うことを例に挙げて説明した。なお、ユーザにより視聴予約が実行された番組の開始時刻が、次の番組が開始される時刻よりも早かった場合には、テレビ放送番組の空き時間を視聴予約が実行された番組の開始時刻までとして、画像の視聴を行うことができる。
【００９９】
また、テレビ放送番組の空き時間中にユーザに提示する画像の表示順序を画像の表示履歴情報に基づき決定することで、未視聴の画像を優先的に表示することが可能となり、更に効率良く画像を視聴することが可能となる。
【０１００】
［第２の実施形態］
以下、本発明に係る第２の実施形態について説明する。
【０１０１】
本実施形態は先の第１の実施形態に対し、番組の放送時間の空き時間として、次番組が開始されるまでの時間ではなく、１番組を構成する複数のイベント、例えばクイズ番組などの１コーナーやＣＭの放送時間を用いるようにしたものである。
【０１０２】
図６は本発明に係る第２の実施形態の情報表示装置６００の構成を示すブロック図である。
【０１０３】
尚、図６において図１と同一の符号は同等の機能を有するものであり、説明を省略する。
【０１０４】
情報表示装置６００の放送受信機能は、図１に示す情報表示装置１００が有する機能とほぼ同等である。また、ＳＩ情報処理部６０９において放送信号に多重される可能性があるＬＩＴ(Local-event-Information-Table)を抽出、処理する機能が追加されている。
【０１０５】
更には、番組情報記憶部６１２において、ＳＩ情報処理部６０９において処理したＬＩＴを記憶する機能が追加されている。
【０１０６】
ＬＩＴは、１番組を構成する複数のコーナーやＣＭに関する放送時間（開始時間、放送継続時間）を含めることも可能である。
【０１０７】
以下、本発明に係る第２の実施形態の画像表示タイミング決定部６１４の機能について説明する。
【０１０８】
図７は、画像表示タイミング決定部１１４の動作を示すフローチャートである。
【０１０９】
尚、Ｓ７０１〜Ｓ７０６、及びＳ７０９〜Ｓ７１５の動作に関しては、各々図５のＳ５０１〜Ｓ５０６、及びＳ５０９〜Ｓ５１５と同様であるので説明を省略し、相違点についてのみ説明する。
【０１１０】
（Ｓ７０７：コーナー、ＣＭ終了時刻情報を取得）
番組情報記憶部６１２から、チャンネル番号情報［１］で現在放送中の番組において、現在放送中のコーナー、或いはＣＭの終了時刻情報を取得する。
【０１１１】
（Ｓ７０８：「放送−画像連携視聴」状態終了時刻を決定）
まず、Ｓ７０６、Ｓ７０７において取得した複数の番組開始時刻情報を比較、現在から最も近々に放送される予定の番組、コーナー、或いはＣＭを選択して、「放送−画像連携視聴」状態を終了する時刻を決定する。
【０１１２】
以上述べた通り、Ｓ７０３、Ｓ７０４、Ｓ７０５のいずれかにおいて生成されたリストの順番に基づき、画像表示部１０８に表示する画像の識別子を選択しながら、「放送−画像連携視聴」状態終了時刻が到来するまで、Ｓ７０９からＳ７１３の動作を繰り返す。その結果、ユーザは現在放送中の番組の１コーナーや、ＣＭが終了までの時間に画像の視聴を行うことも可能となる。
【０１１３】
［第３の実施形態］
以下、本発明に係る第３の実施形態について説明する。
【０１１４】
第３の実施形態は第１の実施形態に対し、番組の放送時間の空き時間の長さに応じて、一画面上に表示する画像の枚数を変化させるようにしたものである。
【０１１５】
図８は本発明に係る第３の実施形態の情報表示装置８０の構成を示すブロック図である。
【０１１６】
尚、図８において図１と同一の符号は同等の機能を有するものであり、説明を省略する。
【０１１７】
本実施形態では、番組の放送時間の空き時間に表示する画面表示パターンを決定する画像表示パターン決定部８２５が追加されている。
【０１１８】
図９は、画像表示タイミング決定部８１４の動作を示すフローチャートである。図１０は、番組の放送時間の空き時間に表示する画面表示パターンの例を示す。
【０１１９】
尚、Ｓ９０１〜Ｓ９０８の動作に関しては、各々図５のＳ５０１〜Ｓ５０８と同様であるので説明を省略し、相違点についてのみ説明する。
【０１２０】
（Ｓ９０９：時間差を計算）
カレンダー時計部１１１から、現在時刻情報を取得し、Ｓ９０８で決定した時刻との時間差を計算する。
【０１２１】
（Ｓ９１０：表示パターン情報を取得）
図８の画像表示パターン決定部８２５に対し、Ｓ９０９において計算した時間差情報を送信し、画像表示パターン決定部８２５にて決定される図１０に示すような表示パターンを画像表示部１０８に表示するための表示パターン情報を取得する。
【０１２２】
図１０（ａ）のパターンａはＳ９０９で取得した時間差情報が１０分以上であった時に表示されるパターンを示し、表示画面に表示される画像１〜ｎを１枚ずつ、３秒毎に切り替えて表示する（ａ１〜ａｎ）。
【０１２３】
図１０（ｂ）のパターンｂはＳ９０９で取得した時間差情報が１分以上１０分未満であった時に表示されるパターンを示している。パターンｂでは、表示画面に表示される画像１〜ｎを２枚ずつ｛（１，２），（３，４），，，（ｎ−１，ｎ）｝、３秒毎に切り替えて表示する（ｂ１〜ｂｎ／２）。
【０１２４】
図１０（ｃ）のパターンｃはＳ９０９で取得した時間差情報が１分未満であった時に表示されるパターンを示し、表示画面に表示される画像１〜ｎを４枚ずつ（１〜４，５〜８，，，ｎ−３〜ｎ）、３秒毎に切り替えて表示する（ｃ１〜ｃｎ／４）である。
【０１２５】
この表示パターン情報には、
・一画面上に表示する画像枚数
・表示する画像枚数分の画像表示縦横サイズ情報
・表示する画像枚数分の画像表示位置座標情報
・画面表示の切り替え時間
が記述されている。
【０１２６】
（Ｓ９１１：表示画像識別子を決定）
Ｓ５０３、Ｓ５０４、Ｓ５０５のいずれかにおいて生成されたリストに記述された識別子の順番と表示パターン情報に記述された一画面上に表示する画像枚数に基づき、画像表示部１０８に表示する画像の識別子を選択する。
【０１２７】
（Ｓ９１２：画像表示開始イベントの送信）
画像処理部８１５に対し、Ｓ９１０で取得した表示パターン情報と、Ｓ９１１で選択した画像の識別子情報と共に、画像の表示開始イベントを送信する。
【０１２８】
画像処理部８１５は、本イベントを受け取った後、画像の識別子情報に基づき、画像蓄積処理部１１８を介し、画像蓄積部１１９から画像データを取得する。更に表示パターン情報に基づき表示サイズ、表示位置を決定して、表示制御部１０７を介し、画像表示部１０８に画像を表示する。
【０１２９】
（Ｓ９１３：現在時刻情報を取得）
カレンダー時計部１１１から現在時刻情報を取得する。
【０１３０】
（Ｓ９１４：「放送−画像連携視聴」状態終了時刻到来の判別）
Ｓ９１３で取得した現在時刻情報に基づき、Ｓ９０８において決定した「放送−画像連携視聴」状態終了時刻が到来したかの判別を行う。
【０１３１】
到来していなければＳ９１５に移行する。
【０１３２】
到来していれば、Ｓ９１６に移行する。
【０１３３】
（Ｓ９１５：表示完了イベント受信有無の判別）
Ｓ９１２で送信した表示開始イベントによる表示が、画像処理部８１５において完了したことを伝えるイベントを受信したかどうかを判別する。
【０１３４】
画像処理部８１５では、表示パターン情報に記述された画面表示の切り替え時間に基づき表示を継続した後、本イベントを画像表示タイミング決定部に送信する。
【０１３５】
本イベント受信していなければ、Ｓ９１３に再度移行する。
【０１３６】
受信していればＳ９１１に再度以降する。
【０１３７】
（Ｓ９１６：「放送−画像連携視聴」状態終了イベントの送信）
Ｓ９１４において、「放送−画像連携視聴」状態終了時刻が到来したと判別した後、選局処理部１１０に対し、選局すべきチャンネル番号情報と共に、「放送−画像連携視聴」状態が終了したことを伝えるイベントを送信する。
【０１３８】
選局処理部１１０では、本イベントを受信後、受け取ったチャンネル番号情報に基づく選局動作を実行する。
【０１３９】
（Ｓ９１７：動作終了）
図９に示す動作を終了する。
【０１４０】
以上述べた通り、Ｓ９０３、Ｓ９０４、Ｓ９０５のいずれかにおいて生成されたリストに記述された識別子の順番と表示パターン情報に記述された一画面上に表示する画像枚数とに基づきＳ９１１からＳ９１５の動作を繰り返す。そして、画像表示部１０８に表示する画像の識別子を選択しながら「放送−画像連携視聴」状態終了時刻が到来するまでＳ９１１からＳ９１５の動作を繰り返すことで、ユーザはテレビ放送番組の空き時間に画像の視聴を行うことができる。
【０１４１】
更には空き時間の長さに応じて、一画面上に表示する画像枚数を決定するよう構成したため、空き時間が短い場合にもより多くの画像の視聴を行うことができ、画像の視聴効率の更なる向上を図ることができる。
【０１４２】
上記第３の実施形態では、図１０に示したように画像表示部１０８に表示する画像の切り替え時間を３秒としたが、空き時間の長さに応じて、枚数と共に画像の切り替え時間を３秒、４秒、５秒等としても良い。このように、テレビ放送番組の空き時間の長さに応じて、画像の表示切替時間を決定することで、更に効率良く画像を視聴することが可能となる。
【０１４３】
［第４の実施形態］
以下に、本発明に係る第４の実施形態について説明する。
【０１４４】
第５の実施形態は、第３の実施形態に対し、一画面上に表示する画像の表示方法を変えたものである。
【０１４５】
図１１は、番組の放送時間の空き時間に表示する画面表示パターンの例を示す。図１２は、図１１の斜線部分１１０１で示す背景画像の例である。
【０１４６】
図１１の画面表示パターンは、上記第３の実施形態と同様に、図８の画像表示パターン決定部８２５において決定されるものである。
【０１４７】
図１２の画面背景画像は、図８の画像表示パターン決定部８２５において決定されるものである。
【０１４８】
第４の実施形態と第３の実施形態との差異は、図９のフローにおけるＳ９１０の処理にある。即ち、図９のＳ９１０以外の動作に関しては、図９と同様であるので説明を省略し、相違点についてのみ説明する。
【０１４９】
（Ｓ９１０：表示パターン情報を取得）
図８の画像表示パターン決定部８２５に対し、Ｓ９０９において取得した現在時刻情報と、Ｓ９０９において計算した時間差情報を送信する。そして、画像表示パターン決定部８２５にて決定される図１１に示す表示パターンと図１２に示す背景画像とを画像表示部１０８に表示するための表示パターン情報を取得する。
【０１５０】
図１１のパターンａはＳ９０９で取得した時間差情報が１０分以上であった時に表示されるパターンを示し、３枚の画像（１〜３，４〜６，，，ｎ−２〜ｎ）がランダムに移動しながら、１０秒毎に切り替えて表示する。
【０１５１】
図１１のパターンｂはＳ９０９で取得した時間差情報が１分以上１０分未満であった時に表示されるパターンを示し、６枚の画像（１〜６，７〜１２，，，ｎ−５〜ｎ）がランダムに移動しながら、１０秒毎に切り替えて表示する。
【０１５２】
図１１のパターンｃはＳ９０９で取得した時間差情報が１分未満であった時に表示されるパターンを示し、９枚の画像（１〜９，１０〜１８，，，ｎ−８〜ｎ）がランダムに移動しながら、１０秒毎に切り替えて表示する。
【０１５３】
図１２（ａ）は現在時刻の“時”の情報が午前５時〜午後１０時の場合に、ユーザに朝、或いは午前中であることをイメージさせるための青空の背景画像である。
【０１５４】
図１２（ｂ）は“時”の情報が午後１０時〜午後５時の場合に、ユーザに昼間であることをイメージさせるための青空に太陽を加えた背景画像である。
【０１５５】
図１２（ｃ）は“時”の情報が午後５時〜午前５時の場合に、ユーザに夜間であることをイメージさせるための星空の背景画像である。
【０１５６】
画像表示タイミング決定部８１４が画像表示パターン決定部８２５から取得する表示パターン情報には、
・一画面上に表示する画像枚数
・表示する画像枚数分の画像表示縦横サイズ情報
・表示する画像枚数分の画像表示開始位置座標情報
・表示する画像枚数分の画像表示終了位置座標情報
・表示する画像枚数分の画像移動スピード情報
・画面表示の切り替え時間
・画面背景画像の識別子情報
が記述されている。
【０１５７】
以上述べた通り、決定した画面表示パターンを画像表示部１０８に表示すれば、第３の実施形態とは異なる表示形態で、空き時間が短い場合にもより多くの画像の視聴を行うことができ、画像の視聴効率の更なる向上を図ることができる。
【０１５８】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【０１５９】
また、本発明の目的は、図示の機能ブロック及び動作において、いずれの部分をハードウェア回路により実現し、或いはコンピュータを用いたソフトウェア処理によって実現しても達成されることは言うまでもない。
【０１６０】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【０１６１】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１６２】
その場合、プログラムの機能を有していれば、オブジェクトコード、インタプリタにより実行されるプログラム、OSに供給するスクリプトデータ等の形態であっても良い。
【０１６３】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【０１６４】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１６５】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１６６】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【０１６７】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【０１６８】
【図１】本発明に係る第１の実施形態の情報表示装置の構成を示すブロック図である。
【図２】本発明に係る第１〜第４の実施形態に共通に適用される情報表示装置のリモコンを示す外観図である。
【図３】本実施形態の情報表示装置による放送番組や画像の視聴状態を示す図である。
【図４】本実施形態の情報表示装置により表示される視聴画像リスト画面の一例を示す図である。
【図５】第１の実施形態の画像表示パターン決定部による動作を示すフローチャートである。
【図６】本発明に係る第２の実施形態の情報表示装置の構成を示すブロック図である。
【図７】第２の実施形態の画像表示パターン決定部による動作を示すフローチャートである。
【図８】本発明に係る第３の実施形態の情報表示装置の構成を示すブロック図である。
【図９】第３の実施形態の画像表示パターン決定部による動作を示すフローチャートである。
【図１０】第３の実施形態の情報表示装置により表示される画面表示パターンを例示する図である。
【図１１】第４の実施形態の情報表示装置により表示される画面表示パターンを例示する図である。
【図１２】第４の実施形態の情報表示装置により表示される背景画像を例示する図である。
【符号の説明】
【０１６９】
１０１  アンテナ
１０２  チューナー部
１０３  デマルチプレクサ
１０４  映像・音声デコーダ
１０５  音声制御部
１０６  音声出力部
１０７  表示制御部
１０８  画像表示部
１０９  ＳＩ情報処理部
１１０  選局処理部
１１１  カレンダー時計部
１１２  番組情報記憶部
１１２  ＥＰＧ生成部
１１４  画像表示タイミング決定部
１１５  画像処理部
１１６  制御部
１１７  外部Ｉ／Ｆ
１１８  画像蓄積処理部
１１９  画像蓄積部
１２０  履歴記憶部
１２１  タイマ部
１２２  受信部
１２３  リモコン
【図１】
0004738938.tif 000002
【図２】
0004738938.tif 000003
【図３】
0004738938.tif 000004
【図４】
0004738938.tif 000005
【図５】
0004738938.tif 000006
【図６】
0004738938.tif 000007
【図７】
0004738938.tif 000008
【図８】
0004738938.tif 000009
【図９】
0004738938.tif 000010
【図１０】
0004738938.tif 000011
【図１１】
0004738938.tif 000012
【図１２】
0004738938.tif 000013